(57)【要約】【課題】高さの増大を抑制しつつ、フラットケーブルを読取手段の移動に追従してスムーズに移動させることができる、読取装置および複合機を提供する。【解決手段】第１ＦＦＣ２１９は、左側からＣＩＳユニット２１０に接続されている。ＣＩＳユニット２１０が待機位置に位置している状態において、第１ＦＦＣ２１９は、ＣＩＳユニット２１０に接続された部分から右側に折り返されるように湾曲する湾曲部２２０を形成する。ハウジング２０３の底面２０４は、湾曲部２２０に対して左側に位置する部分に、第１ＦＦＣ２１９の下側延部２２３が沿う部分よりも一段高く形成された底上部２２５を有している。底上部２２５の下方に生じたスペースに、第１ＦＦＣ２１９における裏側延部２３６を保持する保持部材２３１が設けられている。【選択図】図４
2014017631.tif 000002
【特許請求の範囲】
【請求項１】
底面を有するハウジングと、
前記ハウジングの前記底面に対向して配置され、原稿が載置される原稿載置台と、
前記ハウジングの前記底面と前記原稿載置台との間に設けられ、所定方向に移動しながら、原稿の画像を読み取る読取手段と、
前記読取手段の動作を制御する制御手段と、
前記読取手段と前記制御手段とを接続する第１フラットケーブルとを備える読取装置であって、
前記第１フラットケーブルは、前記所定方向の一方側から前記読取手段に接続され、前記読取手段が所定の停止位置に位置している状態で、前記読取手段に接続された部分から前記一方側と反対側の他方側に折り返されるように湾曲する湾曲部、前記湾曲部からさらに前記他方側に延びる上側延部、前記上側延部から前記一方側に折り返される折返し部および前記折返し部から前記ハウジングの前記底面に沿ってさらに前記一方側に延びる下側延部を形成し、
前記ハウジングの前記底面には、前記読取手段が前記停止位置に位置している状態で、前記湾曲部に対して前記一方側に位置する部分に、前記第１フラットケーブルが沿う部分よりも一段高く形成された底上部を有し、
前記底上部の下方に設けられ、前記第１フラットケーブルにおける前記下側延部から前記制御手段に向けて延びる裏側延部が配設される配設部を備える、読取装置。
【請求項２】
前記下側延部上に設けられ、前記読取手段が前記停止位置に位置している状態で、前記上側延部が接触し、前記上側延部が前記下側延部に対して滑ることを防止する滑り防止部材をさらに備える、請求項１に記載の読取装置。
【請求項３】
前記配線部は、前記ハウジングに設けられ、前記裏側延部を保持して位置決めする保持部材である、請求項１または２に記載の読取装置。
【請求項４】
前記ハウジングの下方に設けられた本体部をさらに備え、
前記制御手段は、前記本体部に収容され、前記第１フラットケーブルが接続される制御基板を含む、請求項３に記載の読取装置。
【請求項５】
前記ハウジングは、互いに間隔を空けて、それぞれ前記所定方向に延びる一端縁および他端縁を有し
前記ハウジングおよび前記保持部材は、前記一端縁に沿った回動軸線を中心に前記本体部に対して回動可能に設けられており、
前記第１フラットケーブルは、前記回動軸線に対して前記他端縁側と反対側を経由して引き回されている、請求項４に記載の読取装置。
【請求項６】
前記本体部の上面には、前記本体部における前記他端縁寄りの位置に、前記制御基板を収容する開口部が形成されており、
前記保持部材に保持された前記裏側延部および前記開口部を一括して覆うカバー部材を備える、請求項５に記載の読取装置。
【請求項７】
前記保持部材は、前記ハウジングに固定される第１位置と前記本体部に固定される第２位置とに変位可能に設けられている、請求項４〜６のいずれか一項に記載の読取装置。
【請求項８】
前記制御基板に接続される第２フラットケーブルをさらに備え、
前記保持部材は、前記裏側延部および前記第２フラットケーブルをそれらが重なり合った状態で保持可能であり、前記裏側延部と前記第２フラットケーブルとの間に介在されるスペーサを有している、請求項４〜７のいずれか一項に記載の読取装置。
【請求項９】
前記制御基板に接続される配線をさらに備え、
前記保持部材は、前記裏側延部および前記配線を前記所定方向に横並びで保持可能であり、前記裏側延部と前記配線との間に介在される区画壁を有している、請求項４〜８のいずれか一項に記載の読取装置。
【請求項１０】
前記読取手段を移動させるためのモータを備え、
前記裏側延部、前記配線および前記モータは、前記ハウジングの前記所定方向の中央部に対して前記停止位置側となる位置において、前記所定方向に横並びに配置されている、請求項９に記載の読取装置。
【請求項１１】
原稿を搬送する搬送手段と、
前記搬送手段によって搬送される原稿が接触しつつ通過する原稿接触部とをさらに含み、
前記読取手段は、前記原稿接触部と対向する対向位置に停止して、前記原稿接触部に接触しつつ通過する原稿の画像を読み取り可能であり、
前記停止位置は、前記対向位置または原稿の画像の読み取りが行われないときに前記読取手段が配置される待機位置である、請求項１〜１０のいずれか一項に記載の読取装置。
【請求項１２】
底面を有するハウジングと、
前記ハウジングの前記底面に対向して配置され、原稿が載置される原稿載置台と、
前記ハウジングの前記底面と前記原稿載置台との間に設けられ、所定方向に移動しながら、原稿の画像を読み取る読取手段と、
前記読取手段の動作を制御する制御手段と、
前記読取手段と前記制御手段とを接続するフレキシブルフラットケーブルと、
前記ハウジングの下方に設けられた本体部と、
前記本体部に収容され、被記録媒体に画像を形成する画像形成手段とを備える複合機であって、
前記第１フラットケーブルは、前記所定方向の一方側から前記読取手段に接続され、前記読取手段が所定の停止位置に位置している状態で、前記読取手段に接続された部分から前記一方側と反対側の他方側に折り返されるように湾曲する湾曲部、前記湾曲部からさらに前記他方側に延びる上側延部、前記上側延部から前記一方側に折り返される折返し部および前記折返し部から前記ハウジングの前記底面に沿ってさらに前記一方側に延びる下側延部を形成し、
前記ハウジングの前記底面には、前記読取手段が前記停止位置に位置している状態で、前記湾曲部に対して前記一方側に位置する部分に、前記第１フラットケーブルが沿う部分よりも一段高く形成された底上部を有し、
前記底上部の下方に設けられ、前記第１フラットケーブルにおける前記下側延部から前記制御手段に向けて延びる裏側延部が配設される配設部を備える、複合機。
【発明の詳細な説明】
【技術分野】
【０００１】
本発明は、原稿の画像を読み取る読取装置ならびに原稿の画像を読み取る機能および被記録媒体に画像を形成する機能を有する複合機に関する。
【背景技術】
【０００２】
スキャナ機能のための画像読取部およびプリンタ機能のための画像形成部を備える複合機が知られている。
【０００３】
画像読取部は、たとえば、ガラス板からなる原稿載置台と、原稿載置台の下方に設けられたキャリッジと、キャリッジに保持された読取ユニットとを備えている。原稿載置台の下方では、ガイドレールが原稿載置台と平行に延びている。キャリッジは、ガイドレールに案内されつつ、ガイドレールに沿って往復移動が可能に設けられている。
【０００４】
画像の読み取りの際には、原稿載置台上に、原稿が読取対象の面を原稿載置台側に向けて載置される。その後、キャリッジがガイドレールに沿って一定速度で移動されながら、読取ユニットから原稿載置台上の原稿に光が照射される。原稿での反射光が読取ユニットのイメージセンサに受けられることにより、原稿に形成されている画像の読み取りが達成される。
【０００５】
また、読取ユニットには、各種信号の送受信のために、ＦＦＣ（Flexible Flat
Cable：フレキシブルフラットケーブル）の一端が接続されている。ＦＦＣの他端は、制御基板に接続されている。
【先行技術文献】
【特許文献】
【０００６】
【特許文献１】特開２００９−２４４４７０号公報
【発明の概要】
【発明が解決しようとする課題】
【０００７】
画像読取部の薄型化が進むと、ＦＦＣの引き回しが問題となる。たとえば、ＦＦＣに関しては、キャリッジ（読取ユニット）の移動に伴ってスムーズに変形しつつ移動するように、ＦＦＣの引き回しがなされなければならない。また、ＦＦＣの端部を制御基板まで配線するためのスペースを確保しなければならない。画像読取部の薄型化を実現しつつ、このような条件を満たすためには様々な工夫が必要となる。
【０００８】
本発明の目的は、高さの増大を抑制しつつ、フラットケーブルを読取手段の移動に追従してスムーズに移動させることができ、フラットケーブルの配線を効率よく行うことが可能な読取装置および複合機を提供することである。
【課題を解決するための手段】
【０００９】
前記の目的を達成するため、本発明の一の局面に係る読取装置は、底面を有するハウジングと、前記ハウジングの前記底面に対向して配置され、原稿が載置される原稿載置台と、前記ハウジングの前記底面と前記原稿載置台との間に設けられ、所定方向に移動しながら、原稿の画像を読み取る読取手段と、前記読取手段の動作を制御する制御手段と、前記読取手段と前記制御手段とを接続する第１フラットケーブルとを備える読取装置であって、前記第１フラットケーブルは、前記所定方向の一方側から前記読取手段に接続され、前記読取手段が所定の停止位置に位置している状態で、前記読取手段に接続された部分から前記一方側と反対側の他方側に折り返されるように湾曲する湾曲部、前記湾曲部からさらに前記他方側に延びる上側延部、前記上側延部から前記一方側に折り返される折返し部および前記折返し部から前記ハウジングの前記底面に沿ってさらに前記一方側に延びる下側延部を形成し、前記ハウジングの前記底面には、前記読取手段が前記停止位置に位置している状態で、前記湾曲部に対して前記一方側に位置する部分に、前記第１フラットケーブルが沿う部分よりも一段高く形成された底上部を有し、前記底上部の下方に設けられ、前記第１フラットケーブルにおける前記下側延部から前記制御手段に向けて延びる裏側延部が配設される配設部を備える。
【００１０】
この構成によれば、原稿が載置される原稿載置台は、ハウジングの底面に対向して配置されている。ハウジングの底面と原稿載置台との間には、原稿の画像を所定方向に移動しながら読み取る読取手段が設けられている。読取手段と読取手段の動作を制御する制御手段とは、第１フラットケーブルによって接続されている。
【００１１】
第１フラットケーブルは、所定方向の一方側から読取手段に接続されている。読取手段が所定の停止位置に位置している状態において、第１フラットケーブルは、読取手段に接続された部分から所定方向の一方側と反対側の他方側に折り返されるように湾曲する湾曲部、湾曲部から他方側にさらに延びる上側延部、上側延部から一方側に折り返される折返し部および折返し部からハウジングの底面に沿って一方側にさらに延びる下側延部を形成する。
【００１２】
ハウジングの底面は、湾曲部に対して所定方向の一方側に位置する部分に、第１フラットケーブルの下側延部が沿う部分よりも一段高く形成された底上部を有している。
【００１３】
第１フラットケーブルにおいて、読取手段の移動に追従して移動する部分は、湾曲部、上側延部および折返し部である。湾曲部、上側延部、折返し部および下側延部は、ハウジングの底面における底上部よりも一段低い部分上に配置されている。そのため、ハウジングの底面と原稿載置台との間に、湾曲部、上側延部および折返し部のスムーズな移動に必要な高さを確保することができる。
【００１４】
そして、底上部の下方に生じたスペースに、第１フラットケーブルにおける下側延部から制御手段に向けて延びる裏側延部が配設される配設部が設けられている。そのため、配設部が設けられることによる高さの増大を抑制できる。
【００１５】
よって、高さの増大を抑制しつつ、第１フラットケーブルを読取手段の移動に追従してスムーズに移動させることができる。
【００１６】
下側延部上には、読取手段が停止位置に位置している状態で、上側延部が接触し、上側延部が下側延部に対して滑ることを防止する滑り防止部材２２４が設けられていることが好ましい。
【００１７】
第１フラットケーブルの下側延部と上側延部との摩擦係数が小さい場合、読取手段が移動したときに、読取手段に追従する第１フラットケーブルの上側延部が下側延部上で滑り、上側延部が盛り上がった状態に撓むことがある。上側延部が撓むと、その撓んだ上側延部に移動中の読取手段が衝突し、上側延部が読取手段と下側延部との間に噛み込むおそれがある。下側延部上に滑り防止部材２２４が設けられていることにより、上側延部が下側延部に対して滑ることが抑制され、上側延部を読取手段の移動に追従して一層スムーズに移動させることができる。
【００１８】
配線部は、ハウジングに設けられ、第１フラットケーブルの裏側延部を保持して位置決めする保持部材であることが好ましい。
【００１９】
保持部材がハウジングに設けられ、第１フラットケーブルの裏側延部が保持部材に保持されることにより、裏側延部がハウジングに対して位置決めされるので、裏側延部を配設部に容易に配設することができる。
【００２０】
制御手段は、ハウジングの下方に設けられた本体部に収容され、第１フラットケーブルが接続される制御基板を含んでいてもよい。
【００２１】
高さの増大を抑制しつつ、第１フラットケーブルをハウジングから本体部内の制御基板まで引き回すことができる。
【００２２】
ハウジングは、互いに間隔を空けて、それぞれ前記所定方向に延びる一端縁および他端縁を有し、ハウジングおよび保持部材は、その一端縁に沿った回動軸線を中心に本体部に対して回動可能に設けられていてもよい。この場合、第１フラットケーブルは、回動軸線に対して他端縁側と反対側を経由して引き回されていることが好ましい。
【００２３】
これにより、ハウジングが回動されたときに、第１フラットケーブルが引っ張られることを抑制できる。その結果、第１フラットケーブルの損傷を抑制することができる。
【００２４】
本体部の上面には、本体部における他端縁寄りの位置に、制御基板を収容する開口部が形成されていてもよい。この場合、保持部材に保持された裏側延部および開口部を一括して覆うカバー部材が設けられていることが好ましい。
【００２５】
カバー部材が外されると、開口部に収容された制御基板が露出するので、メンテナンスの際に、制御基板に容易にアクセスすることができる。
【００２６】
また、制御基板および第１フラットケーブルの裏側延部へのアクセスが不要なときには、それらがカバー部材で覆われることにより、制御基板および裏側延部を保護することができる。そのため、制御基板および裏側延部にユーザの手が不用意に触れたり、制御基板および裏側延部に水が不用意にかかったりすることを抑制できる。
【００２７】
保持部材は、ハウジングに固定される第１位置と本体部に固定される第２位置とに変位可能に設けられていることが好ましい。
【００２８】
たとえば、保持部材を第１位置に変位させて、保持部材がハウジングに固定された状態で、ハウジングを本体部に組み付けることができる。これにより、ハウジングの本体部への組み付け作業を容易に行うことができる。そして、その組み付け後は、保持部材を第２位置に位置させて、保持部材を本体部に固定することができる。
【００２９】
読取装置は、制御基板に接続される第２フラットケーブルをさらに備えていてもよい。この場合、保持部材は、裏側延部および第２フラットケーブルをそれらが重なり合った状態で保持可能であり、裏側延部と第２フラットケーブルとの間に介在されるスペーサを有していることが好ましい。
【００３０】
第１フラットケーブルの裏側延部および第２フラットケーブルが保持部材に保持されることにより、それらの両方を良好に配設することができる。そして、裏側延部と第２フラットケーブルとの間にスペーサが介在されることにより、裏側延部と第２フラットケーブルとの間でのノイズの相互干渉を抑制することができる。
【００３１】
読取装置は、制御基板に接続される配線をさらに備えていてもよい。この場合、保持部材は、裏側延部および配線を所定方向に横並びで保持可能であり、裏側延部と配線との間に介在される区画壁を有していることが好ましい。
【００３２】
配線が保持部材に保持されることにより、配線を良好に配設することができる。そして、第１フラットケーブルの裏側延部と配線との間に区画壁が介在されることにより、裏側延部と配線との間でのノイズの相互干渉を抑制することができる。
【００３３】
第１フラットケーブルの裏側延部、配線および読取手段を移動させるためのモータは、ハウジングの所定方向の中央部に対して停止位置側となる位置において、所定方向に横並びに配置されていてもよい。
【００３４】
裏側延部とモータとの間に配線が配置されることにより、モータから発生するノイズが裏側延部に入力されることを抑制できる。
【００３５】
読取装置は、原稿を搬送する搬送手段と、搬送手段によって搬送される原稿が接触しつつ通過する原稿接触部とをさらに備えていてもよい。そして、読取手段は、原稿接触部と対向する対向位置に停止して、原稿接触部に接触しつつ通過する原稿の画像を読み取り可能であり、停止位置は、対向位置または原稿の画像の読み取りが行われないときに読取手段が配置される待機位置であってもよい。
【００３６】
本発明の他の局面に係る複合機は、底面を有するハウジングと、前記ハウジングの前記底面に対向して配置され、原稿が載置される原稿載置台と、前記ハウジングの前記底面と前記原稿載置台との間に設けられ、所定方向に移動しながら、原稿の画像を読み取る読取手段と、前記読取手段の動作を制御する制御手段と、前記読取手段と前記制御手段とを接続するフレキシブルフラットケーブルと、前記ハウジングの下方に設けられた本体部と、前記本体部に収容され、被記録媒体に画像を形成する画像形成手段とを備える複合機であって、前記第１フラットケーブルは、前記所定方向の一方側から前記読取手段に接続され、前記読取手段が所定の停止位置に位置している状態で、前記読取手段に接続された部分から前記一方側と反対側の他方側に折り返されるように湾曲する湾曲部、前記湾曲部からさらに前記他方側に延びる上側延部、前記上側延部から前記一方側に折り返される折返し部および前記折返し部から前記ハウジングの前記底面に沿ってさらに前記一方側に延びる下側延部を形成し、前記ハウジングの前記底面には、前記読取手段が前記停止位置に位置している状態で、前記湾曲部に対して前記一方側に位置する部分に、前記第１フラットケーブルが沿う部分よりも一段高く形成された底上部を有し、前記底上部の下方に設けられ、前記第１フラットケーブルにおける前記下側延部から前記制御手段に向けて延びる裏側延部が配設される配設部を備える。
【００３７】
この構成によれば、原稿が載置される原稿載置台は、ハウジングの底面に対向して配置されている。ハウジングの底面と原稿載置台との間には、原稿の画像を所定方向に移動しながら読み取る読取手段が設けられている。読取手段と読取手段の動作を制御する制御手段とは、第１フラットケーブルによって接続されている。
【００３８】
第１フラットケーブルは、所定方向の一方側から読取手段に接続されている。読取手段が所定の停止位置に位置している状態において、第１フラットケーブルは、読取手段に接続された部分から所定方向の一方側と反対側の他方側に折り返されるように湾曲する湾曲部、湾曲部から他方側にさらに延びる上側延部、上側延部から一方側に折り返される折返し部および折返し部からハウジングの底面に沿って一方側にさらに延びる下側延部を形成する。
【００３９】
ハウジングの底面は、湾曲部に対して所定方向の一方側に位置する部分に、第１フラットケーブルの下側延部が沿う部分よりも一段高く形成された底上部を有している。
【００４０】
第１フラットケーブルにおいて、読取手段の移動に追従して移動する部分は、湾曲部、上側延部および折返し部である。湾曲部、上側延部、折返し部および下側延部は、ハウジングの底面における底上部よりも一段低い部分上に配置されている。そのため、ハウジングの底面と原稿載置台との間に、湾曲部、上側延部および折返し部のスムーズな移動に必要な高さを確保することができる。
【００４１】
そして、底上部の下方に生じたスペースに、第１フラットケーブルにおける下側延部から制御手段に向けて延びる裏側延部が配設される配設部が設けられている。そのため、配設部が設けられることによる高さの増大を抑制できる。
【００４２】
よって、高さの増大を抑制しつつ、フラットケーブルを読取手段の移動に追従してスムーズに移動させることができる。
【発明の効果】
【００４３】
本発明によれば、高さの増大を抑制しつつ、フラットケーブルを読取手段の移動に追従してスムーズに移動させることができる。
【図面の簡単な説明】
【００４４】
【図１】図１は、本発明の一実施形態に係る複合機の左前上方から見た斜視図であり、原稿カバーが閉じられた状態を示す。
【図２】図２は、複合機の左前上方から見た斜視図であり、原稿カバーが開かれた状態を示す。
【図３】図３は、図１に示される画像読取本体部の平面図である。
【図４】図４は、図３に示される切断面線Ａ−Ａにおける画像読取本体部および画像形成本体部の断面図である。
【図５】図５は、図３に示される切断面線Ｂ−Ｂにおける画像読取本体部および画像形成本体部の断面図である。
【図６】図６は、画像読取本体部の内部構成を示す斜視図である。
【図７】図７は、図６に示されるキャリッジ、ＣＩＳユニット、移動機構および第１ＦＦＣの斜視図である。
【図８】図８は、画像読取本体部の右前下方から見た斜視図である。
【図９】図９は、図８に示される保持部材の左前上方から見た斜視図である。
【図１０】図１０は、保持部材の上面図であり、第１ＦＦＣおよびハーネスを併せて示す。
【図１１】図１１は、保持部材の下面図であり、第２ＦＦＣおよびハーネスを併せて示す。
【図１２】図１２は、ＡＤＦの左前上方から見た斜視図であり、トレイおよびメンテナンスカバーが開かれた状態を示す。
【図１３】図１３は、画像形成部の左端部の平面図である。
【図１４】図１４は、画像形成部の左端部の平面図であり、カバー部材が取り外された状態を示す。
【発明を実施するための形態】
【００４５】
以下では、本発明の実施の形態について、添付図面を参照しつつ詳細に説明する。
【００４６】
＜複合機の外観構成＞
【００４７】
図１に示されるように、複合機１００は、略直方体形状をなしている。複合機１００は、読取装置の一例としての画像読取部２００と、画像読取部２００の下方に配置された画像形成部３００とを備えている。
【００４８】
なお、複合機１００が水平面上に載置された状態で、平面視における複合機１００の長手方向を左右方向と規定する。また、その長手方向および上下方向と直交する方向を前後方向と規定する。図１以降の各図では、図面の理解を助けるために、その規定された方向を矢印で示す。
【００４９】
画像読取部２００は、扁平な略直方体形状をなしている。画像読取部２００は、画像形成部３００に対し、画像形成部３００の後上端付近において左右方向に延びる軸線を中心として、閉位置と、開位置とに回動可能に設けられている。画像読取部２００は、閉位置において、画像形成部３００上に積み重なる。画像読取部２００は、開位置において、画像形成部３００に対して前側が持ち上がって展開する。
【００５０】
また、画像読取部２００は、本体部の一例としての画像読取本体部２０１と、ＡＤＦ（Auto
Document Feeder）２０２とを備えている。ＡＤＦ２０２は、画像読取本体部２０１の後上端付近において左右方向に延びる軸線を中心として、図１に示される閉位置と、図２に示され開位置とに回動可能に設けられている。原稿カバー２０２は、閉位置において、本体部２０１上に積み重なる。原稿カバー２０２は、開位置において、本体部２０１に対して前側が持ち上がって展開する。
【００５１】
画像形成部３００は、略直方体形状をなしている。画像形成部３００の正面の上部には、ユーザによって操作される操作パネルＰが配置されている。
【００５２】
＜画像読取部の画像読取のための構成＞
【００５３】
画像読取部２００の画像読取本体部２０１は、図３、図４、図５および図６に示されるように、樹脂製のハウジング２０３を備えている。ハウジング２０３は、図３および図６に示されるように、平面視で略矩形状に形成されている。また、ハウジング２０３は、底面２０４を有している。
【００５４】
ハウジング２０３には、図３、図４および図５に示されるように、コンタクトガラス２０５が保持されている。コンタクトガラス２０５は、左右方向に長い矩形状のガラス板からなる。コンタクトガラス２０５は、ハウジング２０３の前上端部と後上端部との間に架設され、ハウジング２０３を上方から閉塞するように水平姿勢で配置されている。
【００５５】
コンタクトガラス２０５の左端部上には、コンタクトガラス２０５の左端縁と間隔を空けて、前後方向に延びる平面視矩形状の仕切り部２０６が配置されている。仕切り部２０６の前後方向の両端部は、図３に示されるように、コンタクトガラス２０５の前後方向の端縁よりも外側に配置されている。これにより、コンタクトガラス２０５の上面は、仕切り部２０６とコンタクトガラス２０５の右端縁との間の部分である原稿載置台２０７と、仕切り部２０６とコンタクトガラス２０５の左端縁との間の部分である原稿接触部２０８とに分割されている。なお、基準板２０６の下面、すなわち、コンタクトガラス２０５との対向面には、後述するＣＩＳユニット２１０により白基準として読み取られる白色に着色された基準板（図示せず）が取り付けられている。基準板は、コンタクトガラス２０５の前後方向とほぼ同じ長さを有している。
【００５６】
ハウジング２０３の底面２０４とコンタクトガラス２０５との間には、移動体の一例としてのキャリッジ２０９が設けられている。キャリッジ２０９は、図６に示されるように、前後方向に長い平面視矩形状をなしている。
【００５７】
キャリッジ２０９には、読取手段の一例としてのＣＩＳ（Contact Image
Sensor）ユニット２１０が支持されている。ＣＩＳユニット２１０の内部には、たとえば、ＬＥＤ光源、レンズおよびイメージセンサなどが配置されている。
【００５８】
また、ハウジング２０３の底面２０４とコンタクトガラス２０５との間には、キャリッジ２０９を左右方向（所定方向に相当する）に往復移動させるための移動機構２１１が設けられている。移動機構２１１は、ガイドレール２１２、モータ２１３、第１プーリ２１４、第２プーリ２１５および歯付ベルト２１６を含む。
【００５９】
ガイドレール２１２は、ハウジング２０３の底面２０４に、ハウジング２０３と一体成形されている。ガイドレール２１２は、図３および図６に示されるように、左右方向に延びる突条として形成されている。キャリッジ２０９は、ガイドレール２１２に跨がるように設けられ、ガイドレール２１２に案内されつつ左右方向に往復移動可能とされている。
【００６０】
モータ２１３は、ガイドレール２１２の左端部のさらに左側に配置されている。モータ２１３の出力軸には、モータギヤ２１７が取り付けられている。
【００６１】
第１プーリ２１４は、モータ２１３の前側に配置されている。第１プーリ２１４は、第１ギヤ部および第２ギヤ部を同一軸線上に有する段付ギヤからなり、第１ギヤ部には、モータギヤ２１７が噛合している。
【００６２】
第２プーリ２１５は、ガイドレール２１２の右端部の近傍において、その回転中心が第１プーリ２１４の回転中心を通って左右方向に延びる直線上に位置するように配置されている。
【００６３】
歯付ベルト２１６は、第１プーリ２１４と第２プーリ２１５とに巻回されて、左右方向に延びている。歯付ベルト２１６の内面に形成されたギヤは、第１プーリ２１４の第２ギヤ部に噛合している。歯付ベルト２１６の途中部は、キャリッジ２０９に固定されている。
【００６４】
モータ２１３が一方向に駆動されると、モータギヤ２１７から第１プーリ２１４に駆動力が入力され、第１プーリ２１４がモータ２１３と逆方向に回転する。第１プーリ２１４の回転により、歯付ベルト２１６が周回し、これに伴って、キャリッジ２０９がガイドレール２１２に案内されつつ右方に移動する。また、モータ２１３が他方向に駆動されると、モータギヤ２１７から第１プーリ２１４に駆動力が入力され、第１プーリ２１４がモータ２１３と逆方向に回転する。第１プーリ２１４の回転により、歯付ベルト２１６が周回し、これに伴って、キャリッジ２０９がガイドレール２１２に案内されつつ左方に移動する。
【００６５】
＜画像読取部の配線構造＞
【００６６】
ＣＩＳユニット２１０の後端部には、図４、図６および図７に示されるように、コネクタ２１８が設けられている。コネクタ２１８には、第１フラットケーブルの一例である第１ＦＦＣ（Flexible Flat Cable：フレキシブルフラットケーブル）２１９の一端部に設けられた端子が左側から接続される。
【００６７】
ＣＩＳユニット２１０が仕切り部２０６に下方から対向する待機位置に配置された状態において、第１ＦＦＣ２１９は、図７に示されるように、コネクタ２１８から右側に折り返されるように湾曲しつつ下方に延びる湾曲部２２０、湾曲部から右方にさらに延びる上側延部２２１、上側延部２２１から左側に折り返される折返し部２２２および折返し部２２２からハウジング２０３の底面２０４に沿って左方に延びる下側延部２２３を形成する。
【００６８】
上側延部２２１と下側延部２２３とは、図４に示されるように、上下に重なり合っている。そして、下側延部２２３上には、待機位置に配置されたＣＩＳユニット２１０と対向する位置に、滑り防止部材２２４が配置されている。滑り防止部材２２４は、上側延部２２１の下面に対する摩擦係数が下側延部２２３の上面よりも高い材質からなる。
【００６９】
ハウジング２０３の底面２０４は、ＣＩＳユニット２１０が待機位置に配置された状態において、図４に示されるように、湾曲部２２０の左側に位置する部分に、下側延部２２３が配置されている部分よりも一段高く形成された底上部２２５が形成されている。
【００７０】
第１ＦＦＣ２１９は、図８に示されるように、下側延部２２３の左端部から画像形成部３００に対する画像読取部２００（ハウジング２０３）の回動軸線Ｃの後側を通して、底上部２２５の下方に引き出されている。
【００７１】
底上部２２５の下方であって、図５に示されるように、モータ２１３の左側には、配設部である保持部材２３１が設けられている。保持部材２３１は、樹脂による一体成形品である。保持部材２３１は、図９、図１０および図１１に示されるように、前後方向に延びるスペーサの一例としての保持部材本体２３２と、保持部材本体２３２の後端部から左右方向の両側に突出する軸部２３３とを備えている。軸部２３３は、ハウジング２０３に設けられた軸保持部２３４により、ハウジング２０３と共通の回動軸線Ｃを中心に回転可能に保持されている。これにより、保持部材２３１は、ハウジング２０３の底面２０４に固定される第１位置と、後述する画像形成部本体３０１に固定される第２位置とに変位可能に設けられている。
【００７２】
保持部材本体２３２の上面、つまり保持部材２３１が水平に延びる状態で上方を向く面には、図９および図１０に示されるように、第１ＦＦＣ保持部２３５が左端縁に沿って形成されている。第１ＦＦＣ保持部２３５は、前後方向の途中部に段差を有し、保持部材２３１が水平に延びる状態において、その段差よりも後側の部分が前側の部分よりも一段低くなるように形成されている。
【００７３】
第１ＦＦＣ２１９において底上部２２５の下方に引き出された部分は、裏側延部２３６として、第１ＦＦＣ保持部２３５に保持されて、前後方向に延びている。
【００７４】
保持部材本体２３２の下面、つまり保持部材２３１が水平に延びる状態で下方を向く面には、図１１に示されるように、第２ＦＦＣ保持部２３７が左端縁に沿って形成されている。
【００７５】
第２ＦＦＣ保持部２３７には、ＡＤＦ２０２から延びる第２フラットケーブルの一例としての第２ＦＦＣ２３８が保持されている。第２ＦＦＣ２３８は、ＡＤＦ２０２から第２ＦＦＣ保持部２３７の後端部を経由し、第２ＦＦＣ保持部２３７を前側に向かって延びている。
【００７６】
また、保持部材本体２３２の下面には、ハーネス保持部２３９が右端縁に沿って形成されている。ハーネス保持部２３９は、前後方向において第１ＦＦＣ保持部２３５の段差と同じ位置に段差を有し、保持部材２３１が水平に延びる状態において、その段差よりも後側の部分が前側の部分よりも一段低くなるように形成されている。
【００７７】
ハーネス保持部２３９には、ＡＤＦ２０２から延びる複数の配線の一例としてのハーネス２４０が保持されている。各ハーネス２４０は、画像形成部３００からハーネス保持部２３９の後端部を経由し、ハーネス保持部２３９を前側に向かって延びている。
【００７８】
また、保持部材本体２３２の下面には、第２ＦＦＣ保持部２３７とハーネス保持部２３９との間に、それらを区画する区画壁２４２が形成されている。さらに、保持部材本体２３２の下面には、ハーネス保持部２３９に保持されたハーネス２４０を仕切るための仕切壁２４３が形成されている。
【００７９】
＜ＡＤＦの構成＞
【００８０】
図１に示されるように、ＡＤＦ２０２の上面の左右方向の中央部には、トレイ２５１が設けられている。トレイ２５１は、平面視で略矩形状をなしている。トレイ２５１は、前後方向に延びる軸線を中心とした回動による開閉が可能に設けられている。トレイ２５１が閉じられた状態において、トレイ２５１の外面は、ＡＤＦ２０２の上面をなす。トレイ２５１が閉じられた状態から開かれるときには、閉じられた状態のトレイ２５１の左端部が持ち上げられて、トレイ２５１が右側に回動される。トレイ２５１は、開かれた状態において、図１２に示されるように、右上がりに傾斜して延びる。 
【００８１】
また、図１に示されるように、ＡＤＦ２０２の上面の右端部には、メンテナンスカバー２５２が設けられている。メンテナンスカバー２５２は、平面視で略矩形状をなしている。メンテナンスカバー２５２は、前後方向に延びる軸線を中心とした回動による開閉が可能に設けられている。メンテナンスカバー２５２が閉じられた状態において、メンテナンスカバー２５２の外面は、ＡＤＦ２０２の上面をなす。メンテナンスカバー２５２は、開かれた状態において、図１２に示されるように、左上がりに傾斜して延びる。
【００８２】
＜原稿搬送のための構成＞
【００８３】
ＡＤＦ２０２は、トレイ２５１が開かれることによって露出する部分に、図１２に示されるように、供給部２５３および排出部２５４を備えている。
【００８４】
供給部２５３は、排出部２５４の下方に位置している。供給部２５３の上面の右端部は、緩やかに湾曲しつつ右上がりに傾斜している。そして、供給部２５３の上面の右端部は、開かれた状態のトレイ２５１の内面に微小な隙間を空けて接続される。
【００８５】
供給部２５３には、１対の原稿幅ガイド２５５が設けられている。１対の原稿幅ガイド２５５は、互いに前後方向に対向している。各原稿幅ガイド２５５は、供給部２５３の上面に対して垂直に立ち上がる立ち上がり部２５６と、立ち上がり部２５６の上端縁から前後方向の内側に演出する延出部２５７とを有している。１対の原稿幅ガイド２５５は、それらの間の中央を基準として、互いに同じ移動量で近接および離間可能に構成されている。
【００８６】
排出部２５４は、供給部２５３の上方に、供給部２５３と間隔を空けて設けられている。排出部２５４は、前後方向および左右方向に延びる矩形板状をなしている。
【００８７】
メンテナンスカバー２５２が開かれることによって露出する部分には、その左端部に、搬送手段の一例としての３個のＬＦローラ２５８が設けられている。３個のＬＦローラ２５８は、前後方向に延びる不図示の軸に支持されて、前後方向に間隔を空けて配置されている。ＬＦローラ２５８の軸は、筐体２に回転可能に保持されている。
【００８８】
ＬＦローラ２５８の周面の最上点と排出部２５４との間には、ガイド部材２５９がそれらに跨がるように設けられている。
【００８９】
ＡＤＦ２０２の使用時、つまりシート状の原稿の搬送時には、１対の原稿幅ガイド２５５の間の間隔が原稿の幅に合わされる。そして、原稿は、１対の原稿幅ガイド２５５の間に右側から差し込まれることにより、供給部２５３およびトレイ２５１上に跨がってセンタ基準で載置される。
【００９０】
供給部２５３およびトレイ２５１上に載置された原稿は、不図示の供給ローラにより、供給部２５３から左方に引き込まれ、ＬＦローラ２５８の下方に向けて搬送される。その後、原稿は、ＬＦローラ２５８の周面に沿って搬送されることにより、搬送方向が左方向から右方向に折り返される。そして、原稿は、ガイド部材２５９上を右方向に搬送されて、排出部２５４上に排出される。原稿の右端部は、排出部２５４を越えて、トレイ２５１上に載置される。原稿の左端部は、排出部２５４上に残って、排出部２５４上に載置される。なお、供給部２５３にセットされた原稿の上方には、原稿幅ガイド２５５の延出部２５７が位置するため、排出部２５４およびトレイ２５１上に跨って載置される排出後の原稿と供給部２５３およびトレイ２５１上に跨がって載置されている搬送前の原稿とは混合しない。
【００９１】
＜画像の読み取り＞
【００９２】
画像読取部２００では、フラットベッド方式により、原稿の画像を読み取ることができる。
【００９３】
フラットベット方式による画像の読み取りの際には、ＡＤＦ２０２が画像読取本体部２０１上に積み重なった位置から前側が持ち上がって展開した位置に変位される。これにより、原稿載置台２０７が露出する。この露出した原稿載置台２０７上に、原稿が読取対象の面を原稿載置台２０７側に向けて載置される。その後、ＡＤＦ２０２が画像読取本体部２０１上に積み重なった姿勢に戻される。そして、ＣＩＳユニット２１０がキャリッジ２０９とともに待機位置から左方に一定速度で移動されながら、ＣＩＳユニット２１０から原稿載置台２０７上の原稿に光が照射される。原稿での反射光がＣＩＳユニット２１０のイメージセンサに受けられることにより、原稿に形成されている画像の読み取りが達成される。
【００９４】
また、画像読取部２００では、ＡＤＦ方式により、シート状の原稿の画像を読み取ることができる。
【００９５】
ＡＤＦ方式による画像の読み取りの際には、ＣＩＳユニット２１０が待機位置から原稿接触部２０８に下方から対向する位置に移動され、その位置に固定的に配置される。また、ＡＤＦ方式による画像の読み取りの際には、ＡＤＦ２０２が使用される。ＡＤＦ２０２による原稿は、その搬送の途中で、原稿接触部２０８に接触しつつ移動する。このとき、ＣＩＳユニット２１０から原稿接触部２０８に接触している原稿に光が照射される。原稿での反射光がＣＩＳユニット２１０のイメージセンサに受けられることにより、原稿に形成されている画像の読み取りが達成される。
【００９６】
＜画像形成部の構成＞
【００９７】
画像形成部３００は、図１３に示されるように、画像形成部本体３０１を備えている。画像形成部本体３０１内には、図５に仮想線で示されるように、たとえば、プリンタ機能を実現するためのインクジェット方式の画像形成手段の一例としての画像形成ユニット３０２が設けられている。
【００９８】
画像形成部本体３０１の上面の左前端部には、図１３に示されるように、開口部３０３が形成されている。この開口部３０３には、カバー部材３０４が着脱可能に装着されている。
【００９９】
カバー部材３０４が取り外された状態では、図１４に示されるように、画像形成部本体３０１内に設けられた制御手段である制御基板３０５の左端部が開口部３０３を介して露出する。また、カバー部材３０４は、開口部３０３を閉塞するとともに、第２位置で画像形成部本体３０１に固定された保持部材２３１を上方から覆うように形成されている。これにより、カバー部材３０４は、前後方向の途中部に段差を有し、その段差よりも後側の部分が前側の部分よりも一段低くなるように形成されている。
【０１００】
そして、第１ＦＦＣ２１９、第２ＦＦＣ２３８およびハーネス２４０は、開口部３０３内で制御基板３０５に接続されている。ＣＩＳユニット２１０による画像の読取動作は、制御基板３０５から第１ＦＦＣ２１９を介してＣＩＳユニット２１０に指令が送信されることよって制御される。
【０１０１】
＜作用効果＞
【０１０２】
この構成によれば、原稿が載置される原稿載置台２０７は、ハウジング２０３の底面２０４に対向して配置されている。ハウジング２０３の底面２０４と原稿載置台２０７との間には、原稿の画像を所定方向に移動しながら読み取るＣＩＳユニット２１０が設けられている。ＣＩＳユニット２１０とＣＩＳユニット２１０の動作を制御する制御基板３０５とは、第１ＦＦＣ２１９によって接続されている。
【０１０３】
第１ＦＦＣ２１９は、左側からＣＩＳユニット２１０に接続されている。ＣＩＳユニット２１０が待機位置に位置している状態において、第１ＦＦＣ２１９は、ＣＩＳユニット２１０に接続された部分から右側に折り返されるように湾曲する湾曲部２２０、湾曲部２２０から右側にさらに延びる上側延部２２１、上側延部２２１から左側に折り返される折返し部２２２および折返し部２２２からハウジング２０３の底面２０４に沿って左側にさらに延びる下側延部２２３を形成する。
【０１０４】
ハウジング２０３の底面２０４は、湾曲部２２０に対して左側に位置する部分に、第１ＦＦＣ２１９の下側延部２２３が沿う部分よりも一段高く形成された底上部２２５を有している。
【０１０５】
第１ＦＦＣ２１９において、ＣＩＳユニット２１０の移動に追従して移動する部分は、湾曲部２２０、上側延部２２１および折返し部２２２である。湾曲部２２０、上側延部２２１、折返し部２２２および下側延部２２３は、ハウジング２０３の底面２０４における底上部２２５よりも一段低い部分上に配置されている。そのため、ハウジング２０３の底面２０４と原稿載置台２０７との間に、湾曲部２２０、上側延部２２１および折返し部２２２のスムーズな移動に必要な高さを確保することができる。
【０１０６】
そして、底上部２２５の下方に生じたスペースに、第１ＦＦＣ２１９における下側延部２２３から制御基板３０５に向けて延びる裏側延部２３６を保持する保持部材２３１が設けられている。そのため、保持部材２３１が設けられることによる高さの増大を抑制できる。
【０１０７】
よって、高さの増大を抑制しつつ、第１ＦＦＣ２１９をＣＩＳユニット２１０の移動に追従してスムーズに移動させることができる。
【０１０８】
下側延部２２３上には、ＣＩＳユニット２１０が待機位置に位置している状態で、上側延部２２１が接触し、上側延部２２１が下側延部２２３に対して滑ることを防止する滑り防止部材２２４が設けられている。
【０１０９】
第１ＦＦＣ２１９の下側延部２２３と上側延部２２１との摩擦係数が小さい場合、ＣＩＳユニット２１０が移動したときに、下側延部２２３上で上側延部２２１が滑り、上側延部２２１が盛り上がった状態に撓むことがある。上側延部２２１が撓むと、その撓んだ上側延部２２１にＣＩＳユニット２１０が衝突し、上側延部２２１がＣＩＳユニット２１０と下側延部２２３との間に噛み込むおそれがある。下側延部２２３上に滑り防止部材２２４が設けられていることにより、上側延部２２１が下側延部２２３に対して滑ることが抑制され、上側延部２２１をＣＩＳユニット２１０の移動に追従して一層スムーズに移動させることができる。
【０１１０】
保持部材２３１がハウジング２０３に設けられ、裏側延部２３６が保持部材２３１に保持されている。
【０１１１】
これにより、裏側延部２３６がハウジング２０３に対して位置決めされるので、裏側延部２３６を容易に配設することができる。
【０１１２】
第１ＦＦＣ２１９は、ハウジング２０３および保持部材２３１の回動軸線Ｃの後側を経由して引き回されている。
【０１１３】
これにより、ハウジング２０３が回動されたときに、第１ＦＦＣ２１９が引っ張られることを抑制できる。その結果、第１ＦＦＣ２１９の損傷を抑制することができる。
【０１１４】
画像形成部本体３０１の上面には、画像形成部本体３０１における他端縁寄りの位置に、制御基板３０５を収容する開口部３０３が形成されていてもよい。この場合、保持部材２３１に保持された裏側延部２３６および開口部３０３を一括して覆うカバー部材３０４が設けられていることが好ましい。
【０１１５】
カバー部材３０４が外されると、開口部３０３に収容された制御基板３０５が露出するので、メンテナンスの際に、制御基板３０５に容易にアクセスすることができる。
【０１１６】
また、制御基板３０５および第１ＦＦＣ２１９の裏側延部２３６へのアクセスが不要なときには、それらがカバー部材３０４で覆われることにより、制御基板３０５および裏側延部２３６を保護することができる。そのため、制御基板３０５および裏側延部２３６にユーザの手が不用意に触れたり、制御基板３０５および裏側延部２３６に水が不用意にかかったりすることを抑制できる。
【０１１７】
保持部材２３１は、ハウジング２０３の底面２０４に固定される第１位置と、後述する画像形成部本体３０１に固定される第２位置とに変位可能に設けられている。
【０１１８】
たとえば、保持部材２３１を第１位置に変位させて、保持部材２３１がハウジング２０３に固定された状態で、ハウジング２０３を画像形成部本体３０１に組み付けることができる。これにより、ハウジング２０３の画像形成部本体３０１への組み付け作業を容易に行うことができる。そして、その組み付け後は、保持部材２３１を第２位置に位置させて、保持部材２３１を画像形成部本体３０１に固定することができる。
【０１１９】
画像読取部２００は、制御基板３０５に接続される第２ＦＦＣ２３８をさらに備えている。そして、保持部材２３１は、裏側延部２３６および第２ＦＦＣ２３８をそれらが重なり合った状態で保持可能であり、裏側延部２３６と第２ＦＦＣ２３８との間には、保持部材本体２３２が介在される。
【０１２０】
第１ＦＦＣ２１９の裏側延部２３６および第２ＦＦＣ２３８が保持部材２３１に保持されることにより、それらの両方を良好に配設することができる。そして、裏側延部２３６と第２ＦＦＣ２３８との間に保持部材本体２３２が介在されることにより、裏側延部２３６と第２ＦＦＣ２３８との間でのノイズの相互干渉を抑制することができる。
【０１２１】
画像読取部２００は、制御基板３０５に接続されるハーネス２４０をさらに備えている。っして、保持部材２３１は、裏側延部２３６およびハーネス２４０を所定方向に横並びで保持可能であり、裏側延部２３６とハーネス２４０との間に介在される区画壁２４２を有している。
【０１２２】
ハーネス２４０が保持部材２３１に保持されることにより、ハーネス２４０を良好に配設することができる。そして、第１ＦＦＣ２１９の裏側延部２３６とハーネス２４０との間に区画壁２４２が介在されることにより、裏側延部２３６とハーネス２４０との間でのノイズの相互干渉を抑制することができる。
【０１２３】
第１ＦＦＣ２１９の裏側延部２３６、第２ＦＦＣ２３８、ハーネス２４０およびＣＩＳユニット２１０を移動させるためのモータ２１３は、図５に示されるように、ハウジング２０３の左側に片寄った位置において、左右方向に横並びに配置されている。
【０１２４】
裏側延部２３６とモータ２１３との間にハーネス２４０が配置されることにより、モータ２１３から発生するノイズが裏側延部２３６に入力されることを抑制できる。
【０１２５】
また、第２ＦＦＣ２３８とモータ２１３との間にハーネス２４０が配置されることにより、モータ２１３から発生するノイズが第２ＦＦＣ２３８に入力されることを抑制できる。
【０１２６】
＜変形例＞
【０１２７】
以上、本発明の一実施形態について説明したが、本発明は、他の形態で実施することもできる。
【０１２８】
たとえば、前述の実施形態では、画像読取部２００が画像形成部３００と組み合わされて、これらが複合機１００を構成している。しかしながら、画像読取部２００は、それ単独でスキャナを構成してもよい。
【０１２９】
その他、前述の構成には、特許請求の範囲に記載された事項の範囲で種々の設計変更を施すことが可能である。
【符号の説明】
【０１３０】
１００  複合機
２００  画像読取部
２０１  画像読取本体部
２０３  ハウジング
２０４  底面
２０７  原稿載置台
２０８  原稿接触部
２１０  ＣＩＳユニット
２１３  モータ
２１９  第１ＦＦＣ
２２０  湾曲部
２２１  上側延部
２２２  折返し部
２２３  下側延部
２２４  滑り防止部材
２２５  底上部
２３１  保持部材
２３２  保持部材本体
２３６  裏側延部
２３８  第２ＦＦＣ
２４０  ハーネス
２４２  区画壁
２５８  ＬＦローラ
３００  画像形成部
３０２  画像形成ユニット
３０３  開口部
３０４  カバー部材
３０５  制御基板
【図１】
2014017631.tif 000003
【図２】
2014017631.tif 000004
【図３】
2014017631.tif 000005
【図４】
2014017631.tif 000006
【図５】
2014017631.tif 000007
【図６】
2014017631.tif 000008
【図７】
2014017631.tif 000009
【図８】
2014017631.tif 000010
【図９】
2014017631.tif 000011
【図１０】
2014017631.tif 000012
【図１１】
2014017631.tif 000013
【図１２】
2014017631.tif 000014
【図１３】
2014017631.tif 000015
【図１４】
2014017631.tif 000016